(57)【要約】      （修正有）【課題】板バネの小さな変形ストロークで譜面押さえの回動に対する抗力を発生させて、コンパクトにすることができる鍵盤楽器の譜面押さえ構造を提供する。【解決手段】譜面押さえ２０の回動軸部２１の被軸支部は、凹部１１ｃ、により軸支される。譜面押さえ２０は、使用時には押さえ棒３１で譜面を前方から押さえる立設位置をとると共に、非使用時には倒設位置をとる。底片１３の第１端部１３ａはフランジ部１５に接続され、第２端部１３ｂはフランジ部１６に接続される。従って、底片１３はフランジ部１５、１６に両持ち支持されている。底片１３は板バネとして機能し、弾性変形によって、譜面押さえ２０の回動軸部２１の外周面を軸線方向に略直交する方向へ付勢する。【選択図】図３
0003204561.tif 000002
【実用新案登録請求の範囲】
【請求項１】
軸支部と、
前記軸支部に軸支される回動軸部、及び前記回動軸部から延設された延設部を有し、使用時には譜面を前方から押さえる立設位置をとると共に、非使用時には倒設位置をとる譜面押さえと、
両持ちで支持され、弾性変形によって、前記譜面押さえの前記回動軸部の外周面を前記回動軸部の軸線方向に略直交する方向へ付勢する板バネと、を有することを特徴とする鍵盤楽器の譜面押さえ構造。
【請求項２】
前記回動軸部を前記軸線方向に挟む一対の板部材を有し、前記軸支部は前記一対の板部材に形成されることを特徴とする請求項１に記載の鍵盤楽器の譜面押さえ構造。
【請求項３】
前記板バネ及び前記一対の板部材はいずれも、前記軸線方向に略直交する方向へ延設され、
前記一対の板部材の両端部は前記板バネに接続され、
前記一対の板部材の両端部の間は前記板バネに接続されず、前記板部材のそれぞれと前記板バネとの間にスリットが形成されていることを特徴とする請求項２に記載の鍵盤楽器の譜面押さえ構造。
【請求項４】
前記一対の板部材の両端部のうち一方の端部同士は接続され、他方の端部同士は接続されておらず、前記譜面押さえが前記倒設位置となったとき、前記延設部が、前記他方の端部同士の間に介在することを特徴とする請求項２または３に記載の鍵盤楽器の譜面押さえ構造。
【請求項５】
前記板バネを両持ちで支持する支持部と前記板バネと前記一対の板部材とは、一体に形成されることを特徴とする請求項２〜４のいずれか１項に記載の鍵盤楽器の譜面押さえ構造。
【請求項６】
前記板バネは、前記譜面押さえの回動の全行程において前記回動軸部の外周面を付勢することを特徴とする請求項１〜５のいずれか１項に記載の鍵盤楽器の譜面押さえ構造。
【考案の詳細な説明】
【技術分野】
【０００１】
本考案は、鍵盤楽器の譜面押さえ構造に関する。
【背景技術】
【０００２】
従来、鍵盤楽器において、譜面台に載置された譜面が閉じないように前方から押さえる譜面押さえが譜面台に設けられる。下記特許文献１の譜面押さえ構造では、鍵盤楽器の天面に配置した譜面台に譜面押さえが回動自在に設けられる。譜面押さえの回動軸部からは押さえ棒が延設される。回動軸部のブッシュが軸受け凹面によって適度に締め付けられることで、回動軸部の回動に対して常に抗力が発生する。これにより、押さえ棒を回動方向における任意の位置に保持させることが可能である。
【０００３】
また、片持ち支持される板バネで譜面押さえの回動軸部を軸線に直交する方向へ付勢する構成が考えられる。この構成では、板バネによる付勢力から譜面押さえの回動に対する抗力を得ている。
【先行技術文献】
【特許文献】
【０００４】
【特許文献１】特開２００２−２５８８３２号公報
【考案の概要】
【考案が解決しようとする課題】
【０００５】
しかしながら、譜面押さえの回動に対する抗力を片持ちの板バネで発生させる構成だと、回動軸部を押圧する板バネの部分の必要な弾性変形量（変形ストローク）が大きくなる。付勢力が弱いと回動軸部の安定した回動が困難となり、メカノイズが発生するおそれがある。一方、付勢力を高めるために板バネの厚みを厚くすると、コンパクト化に反する。
【０００６】
本考案は上記従来技術の問題を解決するためになされたものであり、その目的は、板バネの小さな変形ストロークで譜面押さえの回動に対する抗力を発生させて、コンパクトにすることができる鍵盤楽器の譜面押さえ構造を提供することにある。
【課題を解決するための手段】
【０００７】
上記目的を達成するために本考案の請求項１の鍵盤楽器の譜面押さえ構造は、軸支部（１１ｃ、１２ｃ）と、前記軸支部に軸支される回動軸部（２１の２２）、及び前記回動軸部から延設された延設部（３１）を有し、使用時には譜面を前方から押さえる立設位置をとると共に、非使用時には倒設位置をとる譜面押さえ（２０）と、両持ちで支持され、弾性変形によって、前記譜面押さえの前記回動軸部の外周面（２１ａ）を前記回動軸部の軸線方向に略直交する方向へ付勢する板バネ（１３）と、を有することを特徴とする。
【０００８】
好ましくは、前記回動軸部を前記軸線方向に挟む一対の板部材（１１、１２）を有し、前記軸支部は前記一対の板部材に形成される（請求項２）。好ましくは、前記板バネ及び前記一対の板部材はいずれも、前記軸線方向に略直交する方向へ延設され、前記一対の板部材の両端部（１１ａｂ、１２ａｂ）は前記板バネに接続され、前記一対の板部材の両端部の間は前記板バネに接続されず、前記板部材のそれぞれと前記板バネとの間にスリット（Ｓ）が形成される（請求項３）。好ましくは、前記一対の板部材の両端部のうち一方の端部（１１ｂ、１２ｂ）同士は接続され、他方の端部（１１ａ、１２ａ）同士は接続されておらず、前記譜面押さえが前記倒設位置となったとき、前記延設部が、前記他方の端部同士の間に介在する（請求項４）。好ましくは、前記板バネを両持ちで支持する支持部（１５、１６）と前記板バネと前記一対の板部材とは、一体に形成される（請求項５）。
【０００９】
好ましくは、前記板バネは、前記譜面押さえの回動の全行程において前記回動軸部の外周面（２１ａ）を付勢する（請求項６）。なお、上記括弧内の符号は例示である。
【考案の効果】
【００１０】
本考案の請求項１によれば、板バネの小さな変形ストロークで譜面押さえの回動に対する抗力を発生させて、コンパクトにすることができる。
【００１１】
請求項２によれば、メカノイズを抑制すると共に、構成を簡単にすることができる。請求項３によれば、軸支部の剛性と板バネの撓みやすさとを確保することができる。請求項４によれば、軸支部の剛性を確保すると共に、延設部の収容スペースを確保してコンパクト化に資することができる。請求項５によれば、部品点数を少なくすると共に、構成を簡単にすることができる。請求項６によれば、安定した抗力を発生させると共に、メカノイズを抑制することができる。
【図面の簡単な説明】
【００１２】
【図１】一実施の形態に係る譜面押さえ構造が適用される鍵盤楽器の外観斜視図である。
【図２】譜面押さえユニットの斜視図（図（ａ））、分解図（図（ｂ））である。
【図３】譜面押さえユニットの側面図（図（ａ））、上面図（図（ｂ））である。
【図４】図３（ｂ）のＡ−Ａ線に沿う断面図（図（ａ））、譜面押さえの回動軸部の模式的な側面図（図（ｂ））である。
【図５】ケース体に対する譜面押さえの回動の遷移を示す断面図（図（ａ）〜（ｃ））である。
【考案を実施するための形態】
【００１３】
以下、本考案の実施の形態を図面を参照して説明する。
【００１４】
図１は、本考案の一実施の形態に係る譜面押さえ構造が適用される鍵盤楽器の外観斜視図である。鍵盤楽器本体１は、白鍵及び黒鍵から成る鍵盤部２、音量、音色の調整や特殊効果用等の各種操作子が設けられたパネル部３、及び天板４等を有する。天板４には譜面受け部５及び譜面板６が設けられる。楽器本体１の演奏者側を前方と称する。譜面板６は、天板２の上面に設けられ、斜め後方に傾斜して起立できるようになっている。譜面受け部５は、天板２の上面における譜面板６のやや前方に設けられている。譜面受け部５は、譜面板６の横幅とほぼ同じ長さ、すなわち譜面受け部５の鍵並び方向における略全長に亘る長さに形成される。図示は省略するが、譜面受け部５は、天板２をえぐった逆三角の溝状に形成され、その前側の斜面である底面５ａは、起立した譜面板６と略直角を成している。演奏時に譜面７が使用される際は、譜面７の背面を譜面板６で受けると共に、譜面７の下縁を譜面受け部５の底面５ａで受ける。
【００１５】
譜面受け部５には、本実施の形態の譜面押さえ構造の主要部を成す譜面押さえユニット１００が設けられている。譜面押さえユニット１００（１００Ｌ、１００Ｒ）は、左右対称の構成で左右対称の位置に一対設けられている。以下では、代表して譜面押さえユニット１００Ｒの構成を説明する。左右の譜面押さえユニット１００を特に区別しない限り、譜面押さえユニット１００と記す。
【００１６】
図２（ａ）、（ｂ）はそれぞれ、譜面押さえユニット１００Ｒの斜視図、分解図である。図３（ａ）、（ｂ）はそれぞれ、譜面押さえユニット１００Ｒの側面図、上面図である。図４（ａ）は、図３（ｂ）のＡ−Ａ線に沿う断面図である。
【００１７】
譜面押さえユニット１００は、ケース体１０と譜面押さえ２０とから成る。譜面押さえ２０はケース体１０に対して軸心Ｇ（図３（ｂ）、図４（ａ）等）を中心として回動自在に支持され、使用時には譜面７を前方から押さえる立設位置をとると共に、非使用時には倒設位置をとる。譜面押さえ２０は、図２（ａ）、図３（ａ）では立設位置にあり、図３（ｂ）、図４（ａ）では倒設位置にある。
【００１８】
譜面押さえ２０、ケース体１０はそれぞれ、樹脂等で一体に形成される。譜面押さえ２０は回動軸部２１を有し、回動軸部２１には、軸心Ｇ方向（軸心Ｇに平行な方向）に突出した被軸支部２２（２２Ａ、２２Ｂ）が形成される（図４（ａ）等）。回動軸部２１からは、長い側の延設部として押さえ棒３１が延設されると共に、押さえ棒３１とは反対方向に延設される短い側の延設部として突出部３２が形成される（図２（ｂ））。使用時には、譜面押さえ２０が立設位置となって、押さえ棒３１が譜面７を押さえる役割を果たす。
【００１９】
ケース体１０は、前側の第１片１１と後側の第２片１２と底側の底片１３とを有する。第１片１１と第２片１２とは略平行であり、これらが一対の板状部を成す。譜面押さえ２０がケース体１０に組み付けられたとき、第１片１１及び第２片１２の面方向は軸心Ｇに対して略垂直である。底片１３も板状であり、第１片１１及び第２片１２は底片１３に対して略垂直である。ケース体１０はまた、譜面受け部５に取り付けられるためのフランジ部１５、１６を長手方向の端部に有する。フランジ部１５、１６には、取り付け穴１７、１８が形成されている。フランジ部１５、１６は取り付け穴１７、１８を介して譜面受け部５に螺着固定される。
【００２０】
底片１３の第１端部１３ａはフランジ部１５に接続され、第１端部１３ａの反対側の第２端部１３ｂはフランジ部１６に接続されている（図２、図３）。従って、底片１３はフランジ部１５、１６に両持ち支持されている。ケース体１０は樹脂等の弾性を有する部材で成り、底片１３は板状であるので、底片１３は両持ちバネとして機能する。また、第１片１１、第２片１２の、各々の長手方向における略中央部には、上方に切り欠いて凹部１１ｃ、１２ｃが形成されている。これら凹部１１ｃ、１２ｃは、譜面押さえ２０の被軸支部２２Ａ、２２Ｂを軸支する軸支部となる。第１片１１の第１端部１１ａ及び第２片１２の第１端部１２ａはフランジ部１５に接続され、第１片１１の第２端部１１ｂ及び第２片１２の第２端部１２ｂはフランジ部１６に接続されている。一方、第１片１１における第１端部１１ａと第２端部１１ｂとの間は底片１３に接続されておらず、第２片１２における第１端部１２ａと第２端部１２ｂとの間も底片１３に接続されていない。すなわち、第１片１１と底片１３との間、及び第２片１２と底片１３との間には、それぞれスリットＳが形成されている（図２、図３（ａ））。これにより、第１片１１、第２片１２及び底片１３は各々、凹部１１ｃ、１２ｃ付近で各々の板厚方向に撓みやすくなっている。第２端部１１ｂと第２端部１２ｂとは接続部１４で接続されている。
【００２１】
譜面押さえ２０の回動軸部２１の外周面２１ａの詳細な形状については図４（ｂ）で説明するが、外周面２１ａの概略の基本形状は軸心Ｇを中心とする略円弧状である。図３（ａ）、図４（ａ）に示すように、被軸支部２２の外形は円形であり、回動軸部２１の外接円の外形よりも小さい。凹部１１ｃ、１２ｃの曲率は回動軸部２１の被軸支部２２の曲率とほぼ同じである。譜面押さえ２０がケース体１０に軸支される際には、第１片１１及び第２片１２により回動軸部２１が軸心Ｇ方向に挟まれる。さらに、回動軸部２１の被軸支部２２Ａ、２２Ｂの外周面がそれぞれ凹部１１ｃ、１２ｃに摺接すると共に、回動軸部２１の外周面２１ａが底片１３に摺接する。底片１３の上面のうち外周面２１ａに対向当接する領域を特に当接面１３ｃと記す。当接面１３ｃは軸心Ｇに略平行である。被軸支部２２Ａの端面には、軸心Ｇより下方において第１テーパ面２３、第２テーパ面２４が連接形成されている。凹部１１ｃ、１２ｃに被軸支部２２Ａ、２２Ｂを組み付ける際、テーパ面２４、２３があることで、被軸支部２２を凹部１１ｃ、１２ｃに係合させる際、被軸支部２２を第１片１１と第２片１２との間に挿入しやすくなっている。被軸支部２２には貫通穴２８が形成されている。
【００２２】
図４（ｂ）は、譜面押さえ２０の回動軸部２１の模式的な側面図である。回動軸部２１の外周面２１ａの側面視（回動軸部２１の軸方向視）の形状は、上述したように概ね円弧状であるが、厳密には一部に平坦な形状を有している。すなわち、外周面２１ａには、軸心Ｇを中心とする円周方向における互いに異なる位置に、第１の平面２５及び第２の平面２７が形成されている。第１の平面２５及び第２の平面２７はいずれも、回動軸部２１の軸線方向（軸心Ｇ方向）に略平行な平坦面である。また、円周方向における第１の平面２５と第２の平面２７との間は凸曲面２６で接続されている。また、側面視において、円周方向における第１の平面２５と凸曲面２６との間はＲ形状ｒ１で繋がっており、第２の平面２７と凸曲面２６との間はＲ形状ｒ２で繋がっている。
【００２３】
凸曲面２６は、側面視において、外周面２１ａに外接する仮想円に沿った円弧状曲面である。従って、軸心Ｇから凸曲面２６までの距離Ｒ０は略一定である。平面２５、２７の形状は、外周面２１ａに外接する仮想円を平坦に切り欠いた形状に相当する。従って、軸心Ｇから凸曲面２６の最大距離（距離Ｒ０）は、軸心Ｇから第１の平面２５までの距離Ｒ１及び第２の平面２７までの距離Ｒ２のいずれよりも長い。ところで、突出部３２の下方には平坦面３３が形成されている。平坦面３３は第２の平面２７と略平行である。
【００２４】
かかる構成において、譜面押さえ２０をケース体１０に組み付けるには、被軸支部２２Ａの第２テーパ面２４が下になる姿勢にして、回動軸部２１を第１片１１と第２片１２との間に挿入する。スリットＳが形成されているので、第１片１１と第２片１２は互いに開く方向へ容易に撓み、しかも、テーパ面２４、２３があることで、被軸支部２２が第１片１１と第２片１２との間に容易に受け入れられる。被軸支部２２が凹部１１ｃ、１２ｃに係合すると共に、回動軸部２１の外周面２１ａが底片１３の当接面１３ｃに当接すると、回動軸部２１がケース体１０に回動自在に軸支された状態となる。
【００２５】
底片１３と凹部１１ｃ、１２ｃとの位置及び形状の関係については、底片１３が、弾性変形によって、回動軸部２１の外周面２１ａを回動軸部の軸線方向に略直交する方向（軸心Ｇに直交する方向）へ、譜面押さえ２０の回動の全行程において付勢するように設計される。この付勢力により、譜面押さえ２０の回動に対して摩擦による抗力が発生する。底片１３は両持ちで支持された板バネであるので、小さな変形ストロークで譜面押さえ２０の回動に対する抗力を発生させることができる。
【００２６】
図５（ａ）、（ｂ）、（ｃ）は、ケース体１０に対する譜面押さえ２０の回動の遷移を示す断面図である。特に図５（ａ）、（ｂ）、（ｃ）はそれぞれ、譜面押さえ２０が立設位置、回動行程途中の位置、倒設位置にある状態を示している。図５（ａ）に示すように、譜面押さえ２０の第２の平面２７が当接面１３ｃに面接触で当接することで、譜面押さえ２０の立設位置が位置決めされる。なお、立設位置となるとき、突出部３２の平坦面３３も底片１３に面接触で当接し、立設位置が一層安定して規制される。一方、図５（ｃ）に示すように、譜面押さえ２０の第１の平面２５が当接面１３ｃに面接触で当接することで、譜面押さえ２０の倒設位置が位置決めされる。これにより、ケース体１０は、譜面押さえ２０を、使用時（立設位置）と非使用時（倒設位置）の２姿勢（２位置）で節度感を持って安定支持する。なお、平坦面３３は、譜面押さえ２０が立設位置を超えてさらに起立方向へ負荷が加わった場合に初めて底片１３に当接する構成としてもよい。
【００２７】
また、図５（ｂ）に示すように、譜面押さえ２０は、立設位置と倒設位置との間の回動途中においては、当接面１３ｃに対して凸曲面２６が線接触で当接する。凸曲面２６は、軸心Ｇからの距離が略一定の円弧状であるので、譜面押さえ２０の回動途中での抗力変化が小さく動作が円滑である。また、Ｒ形状ｒ１、ｒ２の存在により、立設位置または倒設位置と、回動途中の行程との間の動作の遷移が円滑になっている。
【００２８】
ところで、図５（ｃ）に示すように、譜面押さえ２０は、倒設位置においては、押さえ棒３１がほぼ水平姿勢となり、押さえ棒３１の下側となる面の位置は第１片１１、第２片１２の上面位置よりも低い。しかも、押さえ棒３１の先端は第１片１１の第１端部１１ａ及び第２片１２の第１端部１２ａより右方に位置する。従って、倒設位置においては、押さえ棒３１は、第１片１１の第１端部１１ａと第２片１２の第１端部１２ａとの間に介在する（図３（ｂ））。これにより、第１片１１と第２片１２との間の空間が押さえ棒３１の収容スペースとして利用される。
【００２９】
本実施の形態によれば、両持ちで支持される底片１３が板バネとして機能し、弾性変形によって、譜面押さえ２０の回動軸部２１の外周面２１ａを軸線方向に略直交する方向へ付勢する。これにより、底片１３の小さな変形ストロークで、譜面押さえ２０の回動に対する抗力を発生させて、譜面押さえ構造をコンパクトにすることができる。特に、底片１３は譜面押さえ２０の回動の全行程において外周面２１ａを付勢するので、安定した抗力を発生させると共に、メカノイズを抑制することができる。また、回動軸部２１の被軸支部２２を軸支する軸支部（凹部１１ｃ、１２ｃ）は、回動軸部２１を軸線方向に挟む一対の板部材（第１片１１と第２片１２）に形成されるので、メカノイズを抑制すると共に、構成を簡単にすることができる。
【００３０】
また、第１片１１の両端部（端部１１ａ、１１ｂ）及び第２片１２の両端部（端部１２ａ、１２ｂ）はいずれも底片１３に接続されているので、軸支部の剛性が確保される。その一方、第１片１１及び第２片１２と底片１３との間にそれぞれスリットＳが形成されているので、第１片１１、第２片１２及び底片１３は独自に板厚方向への撓み変形を許容される。そのため、軸支部の剛性と板バネとしての撓みやすさとを確保することができる。例えば、第１片１１、第２片１２の弾性変形により回動軸部２１の軸支のための組み付け作業がやりやすくなり、底片１３の適度の弾性変形により回動軸部２１に対する付勢機能を適切に発揮できる。
【００３１】
また、第１片１１及び第２片１２の各両端部のうち第１片１１及び第２片１２の一方の端部（端部１１ｂ、１２ｂ）同士は接続部１４で接続される一方、他方の端部（端部１１ａ、１２ａ）同士は接続されておらず開放されていて、倒設位置の押さえ棒３１が、第１片１１の第１端部１１ａと第２片１２の第１端部１２ａとの間に介在する。これにより、接続部１４により軸支部の剛性を確保すると共に、押さえ棒３１の収容スペースを確保してコンパクト化に資することができる。さらに、底片１３を両持ちで支持する支持部となるフランジ部１５、１６を含め、第１片１１、第２片１２及び底片１３が同一部材で一体に形成されるので、部品点数を少なくすると共に、構成を簡単にすることができる。
【００３２】
本実施の形態によればまた、回動軸部２１の外周面２１ａの第１の平面２５、第２の平面２７がそれぞれ、底片１３の当接面１３ｃと面接触で当接することで、譜面押さえ２０の倒設位置、立設位置が位置決めされる。これにより、譜面押さえ２０を使用時と非使用時の２姿勢で安定させることができる。
【００３３】
また、外周面２１ａには、円周方向における第１の平面２５と第２の平面２７との間に凸曲面２６が形成され、軸心Ｇから凸曲面２６の最大距離（距離Ｒ０）は、軸心Ｇから第１の平面２５までの距離Ｒ１及び第２の平面２７までの距離Ｒ２のいずれよりも長い。これにより、使用時または非使用時と回動途中との操作感触の違いを明確にし、２姿勢での節度感を持たせることができる。しかも、側面視において凸曲面２６は円弧状で、軸心Ｇからの距離が略一定であるので、譜面押さえ２０は、立設位置と倒設位置との間の回動途中においては、当接面１３ｃに対して凸曲面２６が線接触で当接する。これにより、譜面押さえ２０の回動途中での抗力変化が小さく動作が円滑である。また、凸曲面２６が底片１３と接触しているときに比べて、第１の平面２５または第２の平面２７が底片１３と接触しているときには底片１３の変形が小さい。このため、底片１３の塑性変形を抑制することができるという効果もある。なお、外周面２１ａと当接面１３ｃとが線接触で当接するようにする観点に限れば、凸曲面２６の形状は例示に限られず、曲率も問わない。あるいは、線接触で当接するように構成する場合でも、線接触は軸線に平行であることは必須でない。なお、凸曲面２６は当接面１３ｃに線接触で当接する形状であることは必須でない。
【００３４】
また、側面視において、円周方向における第１の平面２５と凸曲面２６との間はＲ形状ｒ１で繋がっており、第２の平面２７と凸曲面２６との間はＲ形状ｒ２で繋がっているので、譜面押さえ２０の使用時または非使用時の姿勢と回動行程との間の状態の移行が円滑になる。
【００３５】
なお、底片１３の小さな変形ストロークで、譜面押さえ２０の回動に対する抗力を発生させて、譜面押さえ構造をコンパクトにするという観点に限れば、第１の平面２５や第２の平面２７を設けることは必須でなく、外周面２１ａは全体的に曲面であってもよい。
【００３６】
なお、譜面押さえユニット１００Ｌ、１００Ｒは、左右対称としたが、これらを同一構成とし、使用時の左右の向きを問わない構成としてもよい。以上、本考案をその好適な実施形態に基づいて詳述してきたが、本考案はこれら特定の実施形態に限られるものではなく、この考案の要旨を逸脱しない範囲の様々な形態も本考案に含まれる。
【符号の説明】
【００３７】
１１  第１片（板部材）、  １１ａ  第１端部、  １１ｂ  第２端部、  １２  第２片（板部材）、  １１ｃ、１２ｃ  凹部（軸支部）、  １２ａ  第１端部、  １２ｂ  第２端部、  １３  底片（板バネ）、  １５、１６  フランジ部（支持部）、  ２０  譜面押さえ、  ２１  回動軸部、  ２１ａ  外周面、  ３１  押さえ棒（延設部）、  Ｓ  スリット
【図１】
0003204561.tif 000003
【図２】
0003204561.tif 000004
【図３】
0003204561.tif 000005
【図４】
0003204561.tif 000006
【図５】
0003204561.tif 000007